(57)【要約】【課題】本発明の課題は、省エネルギーへの貢献度など、特定の制御機能の貢献が損なわれないような制御機器を提供することにある。【解決手段】本発明の制御機器１０は通信接続部１１、上位制御機器検知機能１３ａ、特定制御機能１２ｂ、特定制御機能自動無効化機能１３ｂ及び制御機能選択機能１３ｃを備える。通信接続部は、設備機器４０が接続される設備通信ネットワーク２０に通信接続可能である。上位制御機器検知機能は、上位制御機器３０が設備通信ネットワークに接続されているか否かを検知する。特定制御機能は、設備通信ネットワークを介して設備機器に対して特定の制御を行うことができる。特定制御機能自動無効化機能は、上位制御機器が設備通信ネットワークに接続される場合に特定制御機能を自動的に無効とする。制御機能選択機能では、特定制御機能を常に有効にするか、特定制御機能自動無効化機能を有効とするかが選択可能とされている。【選択図】図１
2010078163.tif 000002
【特許請求の範囲】
【請求項１】
設備機器（４０）が接続される設備通信ネットワーク（２０）に通信接続可能な通信接続部（１１）と、
上位制御機器（３０）が前記設備通信ネットワークに接続されているか否かを検知する上位制御機器検知機能（１３ａ）と、
前記設備通信ネットワークを介して前記設備機器に対して特定の制御を行うことが可能である特定制御機能（１２ｂ）と、
前記上位制御機器が前記設備通信ネットワークに接続される場合に前記特定制御機能を自動的に無効とする特定制御機能自動無効化機能（１３ｂ）と、
前記特定制御機能を常に有効にするか、前記特定制御機能自動無効化機能を有効とするかを選択可能である制御機能選択機能（１３ｃ）と
を備える設備機器の制御機器（１０）。
【発明の詳細な説明】
【技術分野】
【０００１】
本発明は、設備機器の制御機器に関する。
【背景技術】
【０００２】
過去に「上位制御機器が設備通信ネットワークに接続されると、その接続を検知して設定温度制限機能を自動的に無効化する制御機器」が製造販売されていた。
【０００３】
なお、出願人は、上記のような従来技術の存在を認識しているが、そのような従来技術が記述された文献を知らない。
【発明の開示】
【発明が解決しようとする課題】
【０００４】
ところで、このような制御機器は、上位制御機器に設定温度制限機能が搭載されているか否かに関わらず、設定温度制御機能が無効化されるように設計されていた。したがって、設定温度制限機能が搭載されていない上位制御機器が設備通信ネットワークに接続されると、全ての制御機器から設定温度制限機能を利用できないという事態を招いていた。そして、このように設定温度制限機能が利用できない事態に陥ると、省エネルギーへの貢献度が低下してしまうという不都合があった。
【０００５】
本発明の課題は、省エネルギーへの貢献度など、特定の制御機能の貢献が損なわれないような設備機器の制御機器を提供することにある。
【課題を解決するための手段】
【０００６】
本発明に係る設備機器の制御機器は、通信接続部、上位制御機器検知機能、特定制御機能、特定制御機能自動無効化機能および制御機能選択機能を備える。通信接続部は、設備機器が接続される設備通信ネットワークに通信接続可能である。上位制御機器検知機能は、上位制御機器が設備通信ネットワークに接続されているか否かを検知する。なお、ここにいう「上位制御機器」とは、自身よりも優先度が高い制御機器を意味する。特定制御機能は、設備通信ネットワークを介して設備機器に対して特定の制御を行うことが可能である。特定制御機能自動無効化機能は、上位制御機器が設備通信ネットワークに接続される場合に特定制御機能を自動的に無効とする。制御機能選択機能では、特定制御機能を常に有効にするか、特定制御機能自動無効化機能を有効とするかが選択可能とされている。
【０００７】
この設備機器の制御機器には、制御機能選択機能が搭載されている。このため、ユーザは、特定制御機能を常に有効にするか、特定制御機能自動無効化機能を有効とするかを自身の意思によって選択することができる。したがって、この設備機器の制御機器では、上位制御機器に特定制御機能が搭載されていなかったとしても、省エネルギーへの貢献度など、特定の制御機能の貢献が損なわれることがない。
【発明の効果】
【０００８】
本発明に係る設備機器の制御機器では、省エネルギーへの貢献度など、特定の制御機能の貢献が損なわれることがない。
【発明を実施するための最良の形態】
【０００９】
本発明の一実施形態に係る設備機器の制御機器（以下「下位制御機器」という）１０は、図１に示されるように、主に、通信接続部１１、設備制御部１２および制御設定部１３から構成されている。
【００１０】
以下、下位制御機器１０の各部の構成について詳述していく。
【００１１】
＜下位制御機器の各部の構成＞
（１）通信接続部
通信接続部１１は、図２に示されるような設備通信ネットワーク２０に下位制御機器１０を接続させるために設けられている。なお、設備通信ネットワーク２０には、図２に示されるように、空調機などの設備機器４０が接続されている。また、設備通信ネットワーク２０には、制御の優先度が下位制御機器１０よりも高い上位制御機器３０が既に接続される場合もあり得るし、そのような上位制御機器３０が下位制御機器１０の接続後に接続されることもあり得る。
【００１２】
（２）設備制御部
設備制御部１２には、図１に示されるように、主に、第１制御機能１２ａ、第２制御機能１２ｂおよび第３制御機能１２ｃが搭載されている。なお、第１制御機能１２ａ、第２制御機能１２ｂおよび第３制御機能１２ｃは、基本的には全て異なる機能である。
【００１３】
ちなみに、設備機器４０が空調機である場合、第２制御機能１２ｂは、例えば、設定温度制限機能であってもよい。なお、設定温度制限機能とは、一のグループに属している空調機群の設定温度の変更範囲を制限することができる機能である。この設定温度制限機能は、図４に示されるようなＧＵＩ（グラフィックユーザインターフェイス）１３ｅを介してユーザに提供される。ユーザは、このＧＵＩ１３ｅ上で設定温度制限機能を有効とするか無効とするかを選択することができる上、設定温度制限機能を有効とした場合には、冷房時の下限温度、冷房時の上限温度、暖房時の下限温度および暖房時の上限温度を設定することができる。その一方、ユーザが設定温度制限機能を無効とした場合には、図５に示されるように、「冷房時の下限温度」、「冷房時の上限温度」、「暖房時の下限温度」、「暖房時の上限温度」のテキストや、制限温度表示ボックス、変更ボタンは非表示とされる。
【００１４】
（３）制御設定部
制御設定部１３には、図１に示されるように、主に、上位制御機器検知機能１３ａ、第２制御機能自動無効化機能１３ｂ、制御機能選択機能１３ｃおよびＧＵＩ１３ｄが搭載されている。
【００１５】
上位制御機器検知機能１３ａは、下位制御機器１０が設備通信ネットワーク２０に通信接続部１１を介して接続されたときに自動的に発現し、設備通信ネットワーク２０上に上位制御機器３０が存在する場合、その存在を検知する。なお、この検知に当たっては、当業者であれば通常の通信技術により容易に実現することができるので、ここでは詳細説明を省略する。
【００１６】
第２制御機能自動無効化機能１３ｂは、上位制御機器検知機能１３ａにより上位制御機器３０が検知されると、第２制御機能１２ｂを自動的に無効化する。なお、第２制御機能自動無効化機能１３ｂは、第１制御機能１２ａや第３制御機能１２ｃに対しては一切関与しない。
【００１７】
制御機能選択機能１３ｃは、図３に示されるＧＵＩ１３ｄを介してユーザに対し、（イ）第２制御機能１２ｂを上位制御機器３０の検知の有無に関わらず常に有効とする、つまり、第２制御機能自動無効化機能１３ｂを無効とするか、（ロ）第２制御機能自動無効化機能１３ｂを有効とするかを選択させる機能である。そして、ユーザがＧＵＩ１３ｄにおいて「常に有効」に対応するラジオボタンをアクティブにした状態でＯＫボタンを押すと、第２制御機能１２ｂが上位制御機器３０の検知の有無に関わらず常に有効とされる。その一方、ユーザがＧＵＩ１３ｄにおいて「自動」に対応するラジオボタンをアクティブにした状態でＯＫボタンを押すと、第２制御機能自動無効化機能１３ｂが有効となり、その結果、上位制御機器検知機能１３ａにより上位制御機器３０が検知された場合には、第２制御機能１２ｂが自動的に無効とされる。なお、「常に有効」に対応するラジオボタンと「自動」に対応するラジオボタンとが同時にアクティブにされることなく、いずれかのラジオボタンがアクティブ状態にされると、他方のラジオボタンが非アクティブ状態とされる。
【００１８】
＜下位制御機器の特徴＞
本実施の形態に係る下位制御機器１０には制御機能選択機能１３ｃが搭載されている。このため、ユーザは、第２制御機能１２ｂを常に有効にするか、第２制御機能自動無効化機能１３ｂを有効とするかを自身の意思によって選択することができる。したがって、この下位制御機器１０では、上位制御機器３０に特定制御機能が搭載されていなかったとしても、第２制御機能１２ｂの貢献が損なわれることがない。
【産業上の利用可能性】
【００１９】
本発明に係る設備機器の制御機器は、省エネルギーへの貢献度など、特定の制御機能の貢献を損うことがないという特徴を有しており、更新需要向けの制御機器として有用である。
【図面の簡単な説明】
【００２０】
【図１】本発明の一実施形態に係る下位制御機器の機能ブロック図である。
【図２】本発明の一実施形態に係る下位制御機器が接続される設備通信ネットワークの模式図である。
【図３】本発明の一実施形態に係る下位制御機器の画面に表示される制御機能選択機能のＧＵＩを示す図である。
【図４】本発明の一実施形態に係る下位制御機器の画面に表示される設定温度制限機能の有効時のＧＵＩを示す図である。
【図５】本発明の一実施形態に係る下位制御機器の画面に表示される設定温度制限機能の無効時のＧＵＩを示す図である。
【符号の説明】
【００２１】
１０      下位制御機器（設備機器の制御機器）
１１      通信接続部
１２ｂ    第２制御機能（特定制御機能）
１３ａ    上位制御機器検知機能
１３ｂ    第２制御機能自動無効化機能（特定制御機能自動無効化機能）
１３ｃ    制御機能選択機能
２０      設備通信ネットワーク
３０      上位制御機器
４０      設備機器
【図１】
2010078163.tif 000003
【図２】
2010078163.tif 000004
【図３】
2010078163.tif 000005
【図４】
2010078163.tif 000006
【図５】
2010078163.tif 000007